(57)【要約】【課題】様々なフォントを混在させて、文字単位でレイアウトすることができる。【解決手段】データベース装置３０は、文字単位のフォント単位で、検索用情報と共に文字形状情報を格納する。検索処理部１８は、文字データベース装置３０を検索して前記文字形状情報を表示させながら、利用者の文字選択入力を受付け、該選択を草稿バッファ・メモリ２０に格納する。草稿処理部２２は、前記文字形状情報及びレイアウト情報に基づいた画像を画面表示しながら、個々の文字の大きさや位置を調整し前記レイアウト情報を更新すると共に、該画像を出力する機能を有する。【選択図】図３
2005044131.tif 000002
【特許請求の範囲】
【請求項１】
文字単位のフォント単位で、検索用情報と共に文字形状情報を格納した文字データベース装置と、
選択された文字、又、該選択文字の大きさ及び位置のレイアウト情報を記憶する草稿バッファ・メモリと、
前記文字データベース装置を検索して前記文字形状情報を表示させながら、利用者の文字選択入力を受付け、該選択を前記草稿バッファ・メモリに格納する検索処理部と、
前記文字形状情報及び前記レイアウト情報に基づいた画像を画面表示しながら、個々の文字の大きさや位置を調整し前記レイアウト情報を更新すると共に、該画像を出力する機能を有する草稿処理部と、を備え、
文字単位でフォントを選択し、自由にレイアウトできるようにしたことを特徴とする文句選択装置。
【請求項２】
請求項１に記載の文句選択装置において、
前記選択文字の位置の情報が、行間隔及び文字間隔を表わす数値を含むことを特徴とする文句選択装置。
【請求項３】
請求項１又は請求項２に記載の文句選択装置において、
慣用句を表わす情報が、その検索用情報と共に格納された語句データベース装置、又は、慣用の文章を表わす情報が、その検索用情報と共に格納された文章データベース装置を備え、
前記検索処理部が、これら語句データベース装置又は文章データベース装置に格納されている情報を利用者に提示して、該利用者が前記文字選択入力を行うようにしたことを特徴とする文句選択装置。
【請求項４】
請求項１〜請求項３のいずれか１つに記載の文句選択装置において、
利用者が前記検索処理部及び前記草稿処理部に係る入力操作を、インターネットを経由して行えるようにしたことを特徴とする文句選択装置。
【請求項５】
請求項１〜請求項４のいずれか１つに記載の文句選択装置において、
利用者が、前記文字データベース装置の登録を行えるようにしたことを特徴とする文句選択装置。
【請求項６】
文字データベース装置に検索用情報と共に格納された、文字単位でフォント単位の文字形状情報を利用するソフトウェア・プログラムを、利用者が用いる際に、
文字単位のフォントの利用が確定される、利用者からの入力操作毎に、アカウント・ポイントを加算し、
該加算値に基づいて利用課金を行うようにしたことを特徴とする文句選択装置の課金方法。
【請求項７】
請求項６に記載の文句選択装置の課金方法において、
利用者が作成した文字のフォントを前記文字データベース装置に、検索用情報と共に格納する際に、
該格納の、利用者からの入力操作毎に、前記アカウント・ポイントを減算するようにしたことを特徴とする文句選択装置の課金方法。
【請求項８】
請求項１〜請求項５のいずれか１つに記載の文句選択装置、又は、請求項６又は請求項７に記載の文句選択装置の課金方法を実施するためのコンピュータ・プログラム。
【発明の詳細な説明】
【技術分野】
【０００１】
本発明は、文句選択装置に係り、特に、書の草稿作成編集に好適な、様々なフォントを混在させて、文字単位でレイアウトすることができる文句選択装置及びその課金方法に関する。
【背景技術】
【０００２】
中国や日本では古くから、文字は筆と墨の芸術とされ、鑑賞の対象になっている。書道家は、様々な字体を参考にしながら、「草稿」と称するいわば下書きを作り、草稿を基に筆と墨で書を描く。
【０００３】
ここで、「今昔文字鏡」（紀伊國屋書店刊行）は、漢字に加え、甲骨文字から梵字、現代中国で使われている簡体字まで、多種多様な文字を収録した、ＣＤ−ＲＯＭ（Compact  Disc  Read  Only  Memory）などで提供される文字フォントのソフトウェアである。しかしながら、草稿作成に利用できるものではない。又、特許文献１では、文字の外形認識に関する技術が開示されているものの、草稿作成に関するものではない。
【０００４】
【特許文献１】特許２８６２６２６号公報
【発明の開示】
【発明が解決しようとする課題】
【０００５】
前述の草稿の製作に注目してみると、まずは、書に描く語句や文章を選定する必要がある。そして、その個々の文字の字体や、大きさ、配置を定め、これを草稿とする。してみると、語句や文章の選定作業、字体の選定作業、レイアウト作業は、芸術的な推敲が中心になるものの、単純作業も多くあり近年のデジタル技術の利用が考えられる。しかしながら、現在、そのようなものは存在していない。
【０００６】
本発明は、前記従来の問題点を解決するべくなされたもので、書の草稿作成編集に好適な、様々なフォントを混在させて、文字単位でレイアウトすることができる文句選択装置及びその課金方法を提供することを課題とする。
【課題を解決するための手段】
【０００７】
本発明は、文字単位のフォント単位で、検索用情報と共に文字形状情報を格納した文字データベース装置と、選択された文字、又、該選択文字の大きさ及び位置のレイアウト情報を記憶する草稿バッファ・メモリと、前記文字データベース装置を検索して前記文字形状情報を表示させながら、利用者の文字選択入力を受付け、該選択を前記草稿バッファ・メモリに格納する検索処理部と、前記文字形状情報及び前記レイアウト情報に基づいた画像を画面表示しながら、個々の文字の大きさや位置を調整し前記レイアウト情報を更新すると共に、該画像を出力する機能を有する草稿処理部と、を備え、文字単位でフォントを選択し、自由にレイアウトできるようにしたことにより、前記課題を解決したものである。
【０００８】
又、前記文句選択装置において、前記選択文字の位置の情報が、行間隔及び文字間隔を表わす数値を含むことにより、前記課題を解決したものである。
【０００９】
更に、慣用句を表わす情報が、その検索用情報と共に格納された語句データベース装置、又は、慣用の文章を表わす情報が、その検索用情報と共に格納された文章データベース装置を備え、前記検索処理部が、これら語句データベース装置又は文章データベース装置に格納されている情報を利用者に提示して、該利用者が前記文字選択入力を行うようにしたことにより、前記課題を解決したものである。
【００１０】
又、利用者が前記検索処理部及び前記草稿処理部に係る入力操作を、インターネットを経由して行えるようにしたことにより、前記課題を解決したものである。
【００１１】
更には、利用者が、前記文字データベース装置の登録を行えるようにしたことにより、前記課題を解決したものである。
【００１２】
又、文字データベース装置に検索用情報と共に格納された、文字単位でフォント単位の文字形状情報を利用するソフトウェア・プログラムを、利用者が用いる際に、文字単位のフォントの利用が確定される、利用者からの入力操作毎に、アカウント・ポイントを加算し、該加算値に基づいて利用課金を行うようにしたことにより、前記課題を解決したものである。
【００１３】
更に、利用者が作成した文字のフォントを前記文字データベース装置に、検索用情報と共に格納する際に、該格納の、利用者からの入力操作毎に、前記アカウント・ポイントを減算するようにしたことにより、前記課題を解決したものである。
【００１４】
又、前記第１発明の文句選択装置、又は、前記第２発明に記載の文句選択装置の課金方法を実施するためのコンピュータ・プログラムを提供するようにしたことにより、前記課題を解決したものである。
【発明の効果】
【００１５】
本発明の文句選択装置及びその課金方法によれば、書の草稿作成編集に好適な、様々なフォントを混在させて、文字単位でレイアウトすることができる文句選択装置及びその課金方法を提供することができる。
【発明を実施するための最良の形態】
【００１６】
以下、図面を参照して、本発明の実施の形態について詳細に説明する。
【００１７】
本実施形態は、漢字を中心とし、日本語の語句や文章を主とした、前述の草稿を作成編集するというものである。しかしながら、中国語や韓国語などのアジア系、又英語やフランス語などのヨーロッパ系を問わず、外国語についても、同様に適用することは可能である。
【００１８】
図１に、本発明に係る実施形態の文句選択装置の、ネットワーク及びクライアント装置を含めた構成の概要を示す。本実施形態は、インターネット１によってオンラインで、利用者に、遠隔地にある字体サーバ装置１０によって実現される文句選択装置の利用を提供する。又、本発明による課金方法による課金を対価として、該文句選択装置の利用の提供は、「オンライン字典サービス」と称している。この「オンライン字典サービス」は、ＡＳＰ（Application  program  Service  Provider）の形態で提供され、又前述の草稿作成の機能も提供される。
【００１９】
該オンラインでは、利用者が用いるクライアント装置５は、適宜公衆電話回線２やインターネット接続サーバ装置７によって、インターネット１に接続する。又、決済サーバ装置８は、決済代行業者の決済サイトを、インターネット１で提供する。
【００２０】
なお、クライアント装置５は、ＯＳ（Operating  System）は一例として米国マイクロソフト社のＷｉｎｄｏｗｓ（登録商標）を搭載する、ＰＣ（Personal  Computer）であるが、特に限定されものではない。スキャナ装置６は、印刷物や手描による字体を、利用者が画像として取り込むためのものである。
【００２１】
利用者が、字体サーバ装置１０が提供する文句選択装置を利用する際、図２に模式的に示すように、利用者はクライアント装置５を、インターネット１経由で字体サーバ装置１０に接続する。文句選択装置は、ウェブ・サーバ５０によるインターネット・サイトのホームページとして利用が提供される。従って、該ホームページを、クライアント装置５のウェブ・ブラウザ５２によってアクセスし、本実施形態の文句選択装置を利用する。ウェブ・ブラウザ５２は、米国マイクロソフト社などが提供する汎用のものを利用すればよい。
【００２２】
又、利用者が、決済サーバ装置８が提供する決済サービスを利用する場合も同様であり、利用者はクライアント装置５を、インターネット１経由で決済サーバ装置８に接続する。該接続によって利用者は、決済サーバ装置８のウェブ・サーバ５０から提供されるホームページへのアクセスによって、決済サービスに関する手続を行う。
【００２３】
図３は、本実施形態の字体サーバ装置１０の構成を示すものである。図中の各装置や処理部は、コンピュータ装置やハード・ディスク装置などのハードウェアや、これらで動作するソフトウェア・プログラムによって実現されている。
【００２４】
字体サーバ装置１０は、ネットワーク通信処理部２６によってインターネット１に接続され、前述したように利用者がクライアント装置５などで利用可能になっている。又、該字体サーバ装置１０は、図示されるように、スキャナ装置６と、会員管理処理部１２と、登録処理部１４と、ユーザ登録処理部１６と、検索処理部１８と、草稿バッファ・メモリ２０と、草稿処理部２２と、決済処理部２４とを有している。会員管理処理部１２は、会員データベース装置を内蔵しており、利用者の会員登録、ログイン、利用料金の決済に関する処理を行う。
【００２５】
更に、該字体サーバ装置１０は、図４や図５に示す諸データベース装置の機能を実現しているデータベース装置３０を有している。
【００２６】
まず、データベース装置３０は、文字データベース装置３２と、語句データベース装置３４と、文章データベース装置３６とを実現している。文字データベース装置３２が親データベースであり、語句データベース装置３４及び文章データベース装置３６が子データベースである。
【００２７】
文字データベース装置３２は、文字単位のフォント単位で、検索用情報と共に文字形状情報を格納する。該文字データベース装置３２は、一般的なコンピュータ装置が備えるフォントに加えて、書家が描いた文字をスキャナ装置６により読取った文字形状など、本実施形態特有のものが含まれる。
【００２８】
上記の文字形状は、フォントであり、字体や書体であり、人間が目視する文字の形状である。又、文字形状情報は、一種の画像情報であるが、その形態は特に限定されるものではない。例えば、ビット・マップ式の画像情報であってもよく、アウトライン形式のものであってもよい。又、該文字形状情報に係る、「ＴＩＦＦ」、「ＧＩＦ」、「ＢＭＰ」といった画像情報のデータ形式についても限定されるものではない。本実施形態では、文字データベース装置３２において、一般的なコンピュータ装置が備えるフォントに加えて、書家が描いた文字をスキャナ装置６により読取ったものも、該文字形状情報として格納している。該読み取りの文字には、紙に墨書きしたものだけでなく、碑文などから採取された拓本のものも対象になっている。拓本は、いうまでもなく、石碑の表面に紙を当てて、上からこすったり、たたいたりして、石碑の文字などを写し取ったものである。
【００２９】
又、上記の文字データベース装置３２の検索用情報は、各文字についての、書体を示す情報（以下書体情報と呼ぶ）を含み、又、漢和字典同様の検索に利用可能な、画数、音読み、訓読み、「ヘン」や「ツクリ」などをそれぞれ表わす情報を含む。該書体情報として、本実施形態では、「伝統的な行書体」、「自由な行書体」、「伝統的な草書体」、「自由な草書体」といった分類を採用している。しかしながら、これに限定されるものではなく、書体の情報は、明朝体やゴシック体などのフォント名や、王義之や顔真卿などの書家名であってもよく、その文字の拓本が採られた碑文名でもよい。
【００３０】
語句データベース装置３４は、慣用句を表わす情報が、その検索用情報と共に格納されている。文章データベース装置３６は、慣用の文章を表わす情報が、その検索用情報と共に格納されている。これら語句データベース装置３４や文章データベース装置３６における検索用情報は、該当慣用句や慣用文章についての、カテゴリや、作者や、時代や年代などをそれぞれ表わす情報を含む。
【００３１】
上述の慣用句を表わす情報や、慣用の文章を表わす情報は、句や文章を表わす文字列の情報であるが、その情報形式は特に限定されるものではない。
【００３２】
上述のカテゴリ情報は、四字熟語や、漢詩などの大分類でもよい。あるいは、漢詩であれば、五言絶句、五言律詩、七言絶句、七言律詩、古詩などの分類でもよい。本実施形態では、慣用句や慣用文章が適した場面を想定し、「入学」、「入社」、「結婚」、「新築」、「開店」、「出産」、「葬」、「喜び」、更には、「年賀用字句」といったカテゴリの分類の情報も利用している。「年賀用字句」のカテゴリとしては、例えば、「謹賀新年」、「謹賀新春」といった慣用句が登録されている。
【００３３】
又、上述の作者情報は、慣用句や慣用文章として登録されている、言葉や詩や和歌、俳句などの作者を示すものである。漢詩であれば、「李白」や「杜甫」などの作者である。
【００３４】
又、これらデータベース装置３２、３４、３６のそれぞれは、基本データベース装置４２と、公開ユーザ・データベース装置４４と、非公開ユーザ・データベース装置４６とが実現されている。基本データベース装置４２は、字体サーバ装置１０の運営者が情報を格納し、提供するものである。これに対して、公開ユーザ・データベース装置４４や非公開ユーザ・データベース装置４６は、利用者が、情報を格納するものである。公開ユーザ・データベース装置４４では、利用者が格納した情報は、他の利用者も利用できる。非公開ユーザ・データベース装置４６は、格納した情報は、該格納の利用者本人のみ利用できる。
【００３５】
なお、データベース装置３０では、データベース装置３２、３４、３６間において、又、データベース装置４２、４４、４６間において、共用の情報も存在し、従ってこれらは互いに完全独立のものではない。
【００３６】
以下、本実施形態の作用、即ち文句選択装置の利用、及びこれに係る処理を、フローチャートや表示画面図を参照しながら、手順や処理の順に説明する。
【００３７】
図６は、本実施形態において、利用者が最初に会員登録してから、利用し、精算するまでの処理の概要を示す。
【００３８】
まずステップ１０２では、利用者は、クライアント装置５のウェブ・ブラウザ５２によって、字体サーバ装置１０が提供するホームページにアクセスする。そして、利用者は、住所、氏名、電子メールアドレスなどの、基本的な個人情報を少なくとも入力し、「オンライン字典サービス」利用の会員登録を行う。字体サーバ装置１０の会員管理処理部１２は、該入力の情報をチェックし、会員登録に問題がない場合、「オンライン字典サービス」の利用代金支払いのために、決済サーバ装置８において決済サービスを受けるためのＵＲＬ（uniform  resource  locator）と、「オンライン字典サービス」のためのＩＤ及びそのパスワードとを、上記入力の個人情報に含まれる電子メールアドレス宛てに、電子メールにて送付する。
【００３９】
ステップ１０４では、該ＵＲＬにて、利用者は、クライアント装置５のウェブ・ブラウザ５２によって、決済サーバ装置８が提供するホームページにアクセスし、利用者は、「オンライン字典サービス」に係る決済サービスの登録を行う。該決済サービスは、銀行口座引落し、銀行振替え、コンビニエンス・ストアのレジ支払いなどで、代金を決済するものであり、利用者はこのための登録手続を予め行う。
【００４０】
本実施形態では、「オンライン字典サービス」のＩＤ及びパスワードが送付されると、利用者は直ちに該「オンライン字典サービス」を利用することができる。但し、ＩＤ及びパスワードの送付から一定期間以内に、上記の決済サービスの登録を行わないと、これらＩＤ及びパスワードによる「オンライン字典サービス」の利用が、会員管理処理部１２によって停止される。
【００４１】
次にステップ１０６では、利用者は、クライアント装置５のウェブ・ブラウザ５２によって、字体サーバ装置１０が提供するホームページにアクセスし、これらＩＤ及びパスワードにより、「オンライン字典サービス」にログインする。該ログイン処理は、会員管理処理部１２によって取り扱われる。
【００４２】
正しくログインできると、ステップ１０８では、利用者は「オンライン字典サービス」を利用することができ、草稿を作成することもできる。又、該利用に際しては、後述するように、特定の利用確定操作に伴って、アカウント・ポイントが適宜加算される。又、利用を終了する場合は、字体サーバ装置１０のホームページにおいて、ログオフ操作を行う。
【００４３】
なお、「オンライン字典サービス」を利用する場合は、利用者は、適宜、これらステップ１０６及び１０８の処理を行う。
【００４４】
ステップ１１０では、一定期間毎に、「オンライン字典サービス」の利用料金の精算をする。該精算は、前述の決済サービスの代金決済による。
【００４５】
以下、上述のステップ１０８で行う、草稿作成処理について、表示画面図を参照しながら説明する。
【００４６】
本実施形態においては、図７〜図１６に示す「漢字検索」、図１７〜図２３に示す「漢詩検索」、図２４〜図２８に示す「四字熟語検索」、図２９〜図３２に示す「年賀用字句検索」の機能がある。これら検索機能は、字体サーバ装置１０の検索処理部１８によるものであり、検索結果は草稿バッファ・メモリ２０に格納される。又、該草稿バッファ・メモリ２０の文字に関する草稿作成編集は、草稿処理部２２によって行う。なお、検索処理部１８における検索に際して、アカウント・ポイントの加算は、決済処理部２４によって適宜行われる。
【００４７】
まず、「漢字検索」、及びその後の草稿作成編集について、手順の順で説明すると、利用者は、ログイン後のメニュー選択によって、図７に示す「漢字検索」画面を表示させる。
【００４８】
そして、図７の一点鎖線２１０の箇所において、書体選択と共に、部首画数選択又は読み選択の操作を行うことで、所望の文字を１つ選択する。この一点鎖線２１０の箇所は、図８に拡大して示すとおりである。まず、書体選択については、図９のように、「伝統的な行書体」、「自由な行書体」、「伝統的な草書体」、「自由な草書体」のいずれかを選択する。
【００４９】
そして、部首画数選択の検索の場合は、部首画数を入力後に「部首で検索」を、マウスなどのポインティング手段にてクリックすると、文字データベース装置３２に格納されている情報に基づき、図１０のような部首リストが、図７の一点鎖線２１１の箇所の「部首候補」の欄において表示される。そして、該表示中の所望の部首を番号入力で選択し、「部首決定」をクリックすると、文字データベース装置３２に格納されている情報に基づき、該部首に係る漢字リストが図１１のように、図７の一点鎖線２１１の箇所の「漢字候補」の欄において表示される。該漢字リストでは、同じ漢字（文字）でも、上記書体選択に該当するものは複数表示され、図１１のように、その文字形状そのものが縮小されて表示される。
【００５０】
更に、該漢字リストの中の所望の漢字を番号入力で選択し、「漢字決定」をクリックすると、図７の一点鎖線２１３の箇所の「漢字候補」の欄に、図１２のように、その文字形状そのものが縮小されて、選択した文字が表示される。
【００５１】
あるいは、部首画数選択の検索の場合は、読みを入力後に「読みで検索」をクリックすると、文字データベース装置３２に格納されている情報に基づき、図１１のような漢字リストが図１１のように、図７の一点鎖線２１１の箇所の「漢字候補」の欄において表示される。更に、該漢字リストの中の所望の漢字を番号入力で選択し、「漢字決定」をクリックすると、図７の一点鎖線２１３の箇所の「漢字候補」の欄に、図１２のように、選択した文字が表示される。
【００５２】
以上のように文字を選択した後は、図１３〜図１６のように、草稿作成編集を行う。
【００５３】
ここで、図７の一点鎖線２１２の箇所には、草稿のレイアウトが、８列（Ａ列〜Ｈ列）１１行（１行〜１１行）の升目を有する、配置パネルで示される。各升目に１文字配置される。
【００５４】
草稿作成編集において、図１２の「漢字候補」の欄の中から所望の文字を、配置パネルの所望の升目に、図７の一点鎖線２１４の箇所にある、図１３に示すような入力領域によって配置することができる。又、該入力領域での操作によって、配置パネルの所望の升目の文字を削除することができる。
【００５５】
即ち、該入力領域の最上段において、図１２の「漢字候補」の欄の中から所望の文字を番号選択し、次の段において配置パネルの升目のＡ列〜Ｈ列のいずれか１つを選択し、次の段において配置パネルの升目の１行〜１１行のいずれか１つを選択する。そして、「配置」をクリックすると、番号選択した文字が、その文字形状そのものが縮小されて、例えば図１４のように、配置パネルの該当する升目に表示される。これら列や行による升目の指定は、レイアウト情報の１つである。
【００５６】
あるいは、同様に図１３の入力領域において、配置パネルの升目のＡ列〜Ｈ列のいずれか１つを選択し、次の段において配置パネルの升目の１行〜１１行のいずれか１つを選択してから、「削除」をクリックすると、配置パネルの該当する升目の文字が削除される。
【００５７】
なお、これら「配置」や「削除」の際、配置パネルにおいて文字の配置や削除が行われると、これに伴って草稿バッファ・メモリ２０も適宜更新される。
【００５８】
草稿作成編集において、図７の符号２１５の「イメージを作成する」をクリックすると、図１５のような画面が表示される。図１５の一点鎖線２１７の箇所の配置パネルには、一例として、利用者が草稿として作成している漢詩が表示されている。該漢詩の表示において、白地に黒文字は、紙に墨書きしたものを元にして、スキャナ装置６で読み取るなどして本実施形態において作成された文字形状情報によるものである。黒字に白地は、碑文などから採取された拓本が元になって、同様に読み取るなどして作成された文字形状情報によるものである。
【００５９】
該画面では、その一点鎖線２１６の箇所にある、図１６のような入力領域によって、その一点鎖線２１７の箇所にある配置パネルの文字のレイアウトを調整することができる。即ち、列及び行で指定した文字の大きさの拡大・縮小、指定した２つの列の間隔（文字間隔）の拡大・縮小、指定した２つの行の間隔（行間隔）の拡大・縮小を調整することができる。これら文字の大きさの拡大・縮小、文字間隔の拡大・縮小、行間隔の拡大・縮小を示す情報は、レイアウト情報の１形態である。又、該調整の結果によって草稿バッファ・メモリ２０に格納の情報が更新される。
【００６０】
ここで、草稿バッファ・メモリ２０には、配置パネルでの升目それぞれに対して、利用者が選択し割り付けた文字の情報が格納されている。即ち、割り付けた該当書体の文字を示す情報、又その文字に関する、上記の大きさの拡大・縮小、文字間隔の拡大・縮小、行間隔の拡大・縮小を示す情報が、少なくとも格納されている。なお、行間隔については、配置パネルの行単位で格納するようにしてもよい。この場合は、行間隔の調整は、配置パネルの行単位で行うようになる。
【００６１】
そして、図１５の符号２１８の「イメージを印刷する」をクリックすると、草稿を表示する、図１７のような印刷確認画面が表示される。又、該印刷確認画面において、符号２１９の「このイメージで印刷」をクリックすると、該印刷確認画面の草稿が、実際に印刷出力される。
【００６２】
次に、「漢詩検索」について、手順の順で説明すると、利用者は、ログイン後のメニュー選択によって、図１８に示す「漢詩検索」画面を表示させる。
【００６３】
そして、図１８の一点鎖線２２０の箇所において、書体選択、作者選択、型式選択の操作を行うことで、漢詩の候補を検索することができる。まず、書体選択については、図１９のように、「伝統的な行書体」、「自由な行書体」、「伝統的な草書体」、「自由な草書体」のいずれかを選択する。作者選択については、図２０のように、「李白」や「杜甫」などの漢詩の作者のいずれかを選択する。型式選択については、図２１のように、「五言絶句」、「五言律詩」、「七言絶句」、「七言律詩」、「古詩」のいずれかの型式を選択する。これら選択後に、「上記で検索」をクリックすると、文字データベース装置３２や文章データベース装置３６に格納されてい情報に基づいて、これら選択に該当する漢詩のリストが、図１８の一点鎖線２２１の箇所において表示される。
【００６４】
そして、該一点鎖線２２１の箇所の上段において、該漢詩リストの中から、所望の漢詩を番号選択し、「漢詩決定」をクリックすると、草稿バッファ・メモリ２０に格納の情報が更新され、図２３のような表示を得ることができる。即ち、図１８の一点鎖線２２３の箇所に該番号選択の漢詩の読みくだしが、一点鎖線２２４の箇所に該漢詩の日本語への対訳が、そして、一点鎖線２２２の箇所に該漢詩の草稿が表示される。
【００６５】
この後、符号２２５の「イメージを作成する」をクリックすると、図１５のような画面表示がなされ、前述した「漢字検索」の場合と同様に、草稿作成編集を行うことができ、該草稿作成編集の後は、草稿を印刷出力することも可能である。
【００６６】
続いて、「四字熟語検索」について、手順の順で説明すると、利用者は、ログイン後のメニュー選択によって、図２４に示す「四字熟語検索」画面を表示させる。
【００６７】
そして、図２４の一点鎖線２３０の箇所において、書体選択、種類選択の操作を行うことで、四字熟語の候補を検索することができる。まず、書体選択については、図２５のように、「伝統的な行書体」、「自由な行書体」、「伝統的な草書体」、「自由な草書体」のいずれかを選択する。種類選択については、図２６のように、「入学」、「入社」、「結婚」、「新築」、「開店」、「出産」、「葬」、「喜び」のいずれかを選択する。これらの種類は、四字熟語が適した場面を想定したものであり、前述のカテゴリの情報に基づく。これら選択後に、「上記で検索」をクリックすると、文字データベース装置３２や語句データベース装置３４に格納されている情報に基づいて、これら選択に該当する図２７のような四字熟語のリストが、図２４の一点鎖線２３１の箇所において表示される。
【００６８】
そして、該一点鎖線２３１の箇所の上段において、該四字熟語リストの中から、所望の四字熟語を番号選択し、「熟語決定」をクリックすると、草稿バッファ・メモリ２０に格納の情報が更新され、図２８のような表示を得ることができる。即ち、図２４の一点鎖線２３３の箇所に該番号選択の四字熟語の読みくだしが、一点鎖線２３４の箇所に該四字熟語の対訳が、そして、一点鎖線２３２の箇所に該四字熟語の草稿が表示される。
【００６９】
この後、符号２３５の「イメージを作成する」をクリックすると、図１５のような画面表示がなされ、前述した「漢字検索」の場合と同様に、草稿作成編集を行うことができ、該草稿作成編集の後は、草稿を印刷出力することも可能である。
【００７０】
次に、「年賀用字句検索」について、手順の順で説明すると、利用者は、ログイン後のメニュー選択によって、図２９に示す「年賀用字句検索」画面を表示させる。
【００７１】
そして、図２９の一点鎖線２４０の箇所において、書体選択の操作を行うことで、年賀用字句の候補を検索することができる。該書体選択は、図３０のように、「伝統的な行書体」、「自由な行書体」、「伝統的な草書体」、「自由な草書体」のいずれかを選択する。該選択後には、文字データベース装置３２や語句データベース装置３４や文章データベース装置３６に格納の情報に基づいて、該選択に該当する図３１のような年賀用字句のリストが、図２９の一点鎖線２４１の箇所において表示される。
【００７２】
そして、該一点鎖線２４１の箇所の上段において、該年賀用字句リストの中から、所望の年賀用字句を番号選択し、「字句決定」をクリックすると、草稿バッファ・メモリ２０に格納の情報が更新され、該番号選択の年賀用字句が、符号２４２の配置パネルの先頭の升目から埋め込まれて表示される。この後、符号２４５の「イメージを作成する」をクリックすると、前述の図１５に対応する図３２のような画面表示がなされ、前述した「漢字検索」の場合と同様に、草稿作成編集を行うことができ、該草稿作成編集の後は、草稿を印刷出力することも可能である。
【００７３】
次に、本実施形態の「オンライン字典サービス」では、文字データベース装置３２に元々存在する文字外形情報や、スキャナ装置６によって獲得した文字外形情報を素材情報として、利用者が字体を作成し、文字データベース装置３２における、公開ユーザ・データベース装置４４や非公開ユーザ・データベース装置４６に登録可能になっている。このようなユーザによる登録に際しても、文字単位のフォント単位で、検索用情報と共に文字形状情報を文字データベース装置３２に格納する。
【００７４】
例えば、これら文字外形情報の一部を用いて、新たな文字外形情報を作成することができる。又、複数の素材の文字外形情報を合成して、新たな文字外形情報から、利用者が、新たな文字外形情報を作成編集することも可能になっている。
【００７５】
例えば、該合成においては、まず、図３３の「仕」の字体のツクリの「士」を抽出する。又、図３４の「思」の字体の「心」を抽出する。そして、これら抽出の部分を合成して、図３５の「志」の字体を作成し、該作成の字体を登録することができる。ここで、抽出したものを、拡大・縮小したり、角度を指定して回転したりしてから合成することも可能になっている。
【００７６】
ここで、本実施形態では、前述の「漢字検索」での「漢字決定」のクリックの際は、アカウント・ポイントを１ポイント加算する。「漢詩検索」での「漢詩決定」のクリックの際は、アカウント・ポイントを１０ポイント加算する。「四字熟語検索」での「熟語決定」のクリックの際は、アカウント・ポイントを４ポイント加算する。「年賀用字句検索」での「字句決定」のクリックの際は、アカウント・ポイントを５ポイント加算する。そして、ポイント数（加算値）に応じて利用課金し、これを利用者に対して請求することになる。
【００７７】
ここで、これらのクリックは、データベース装置３０に格納された文字形状情報や、慣用句を表わす情報や、慣用の文章を表わす情報を、利用者が草稿に利用したタイミングとも言える。従って、該タイミングにおいて、これら情報に関する、いわゆるコンテンツ利用毎の課金として、ポイント加算することができる。
【００７８】
しかしながら、該アカウント・ポイントの加算については限定されるものではなく、加算のタイミングや、加算するポイント数は限定されるものではない。例えば、加算のタイミングについては、ログイン時、作成された草稿の印字出力時とすることもできる。あるいは、「漢字検索」、「漢詩決定」、「四字熟語検索」、「年賀用字句検索」内の、個々の操作時、草稿作成編集の内の個々の操作時とすることもできる。これらタイミングでアカウント・ポイントを加算すれば、字体サーバ装置１０のハードウェア利用や、ソフトウェア・プログラム利用に応じた課金として、ポイント加算することができる。又、草稿の印字出力時は、草稿の完成の報酬として、ポイント加算することができる。
【００７９】
そして、このような課金ポイント加算のいずれかを、前述のコンテンツ利用に対する課金ポイント加算のいずれかと、併用するようにしてもよい。例えば、コンテンツ利用毎の課金としてポイント加算しつつ、草稿の印字出力時は、草稿の完成の報酬として、ポイント加算することもできる。
【００８０】
なお、本実施形態の文字形状情報や、慣用句を表わす情報や、慣用の文章を表わす情報は、著作権管理すべき価値のあるものである。このため、本実施形態では、これら情報を、字体サーバ装置１０やクライアント装置５以外の、他のコンピュータ装置に転送しようとすれば、利用者に対して警告文を表示するようにすることも可能である。又、該転送について字体サーバ装置１０の管理者に対して、自動的に報告できるようにすることも可能である。
【００８１】
このように、本実施形態によれば、書の草稿作成編集に好適な、様々なフォントを混在させて、文字単位でレイアウトすることができる。
【産業上の利用可能性】
【００８２】
以上説明したとおり、本発明によれば、書の草稿作成編集に好適な、様々なフォントを混在させて、文字単位でレイアウトすることができる。
【図面の簡単な説明】
【００８３】
【図１】本発明に係る実施形態の文句選択装置の、ネットワーク及びクライアント装置を含めた構成の概要を示すブロック図
【図２】実施形態のクライアント装置及び字体サーバ装置及び決済サーバ装置の接続関係を模式的に示すブロック図
【図３】実施形態の字体サーバ装置の構成を示すブロック図
【図４】実施形態のデータベース装置の構成を示すブロック図
【図５】該データベース装置が有する文字データベース装置、語句データベース装置、及び文章データベース装置の構成を示すブロック図
【図６】実施形態において利用者が最初に会員登録してから、利用し、精算するまでの処理の概要を示すフローチャート
【図７】実施形態における「漢字検索」画面を示す画面図
【図８】実施形態の「漢字検索」における書体、部首画数、読みの選択の表示を示す画面図
【図９】実施形態の「漢字検索」における書体の選択を示す画面図
【図１０】実施形態の「漢字検索」における部首候補の表示を示す画面図
【図１１】実施形態の「漢字検索」における選択対象の漢字候補の表示を示す画面図
【図１２】実施形態の「漢字検索」における草稿の漢字候補の表示を示す画面図
【図１３】実施形態の「草稿作成編集」における文字配置調整の表示を示す画面図
【図１４】実施形態の「草稿作成編集」における配置パネルの表示を示す画面図
【図１５】実施形態の「草稿作成編集」における文字の大きさや位置の調整を行う画面の表示を示す画面図
【図１６】実施形態の「草稿作成編集」における文字の大きさや位置の調整の入力領域の表示を示す画面図
【図１７】実施形態の「草稿作成編集」における草稿の印刷確認画面の表示を示す画面図
【図１８】実施形態における「漢詩検索」画面を示す画面図
【図１９】実施形態の「漢詩検索」における書体の選択の表示を示す画面図
【図２０】実施形態の「漢詩検索」における作者の選択の表示を示す画面図
【図２１】実施形態の「漢詩検索」における型式の選択の表示を示す画面図
【図２２】実施形態の「漢詩検索」における漢詩候補の表示を示す画面図
【図２３】実施形態の「漢詩検索」における選択した漢詩に関する表示を示す画面図
【図２４】実施形態における「四字熟語検索」画面を示す画面図
【図２５】実施形態の「四字熟語検索」における書体の選択の表示を示す画面図
【図２６】実施形態の「四字熟語検索」における種類の選択の表示を示す画面図
【図２７】実施形態の「四字熟語検索」における四字熟語候補の表示を示す画面図
【図２８】実施形態の「四字熟語検索」における選択した四字熟語に関する表示を示す画面図
【図２９】実施形態における「年賀用字句検索」画面を示す画面図
【図３０】実施形態の「年賀用字句検索」における書体の選択の表示を示す画面図
【図３１】実施形態の「年賀用字句検索」における年賀用字句候補の表示を示す画面図
【図３２】実施形態の「年賀用字句検索」の後の「草稿作成編集」における文字の大きさや位置の調整を行う画面の表示を示す画面図
【図３３】実施形態の利用者による字体作成及び登録の基になる第１の文字の字体例を示す線図
【図３４】実施形態の利用者による字体作成及び登録の基になる第２の文字の字体例を示す線図
【図３５】実施形態の利用者により作成され登録する字体例を示す線図
【符号の説明】
【００８４】
１…インターネット
２…公衆電話回線
５…クライアント装置
６…スキャナ装置
７…インターネット接続サーバ装置
８…決済サーバ装置
１０…字体サーバ装置
１２…会員管理処理部
１４…登録処理部
１６…ユーザ登録処理部
１８…検索処理部
２０…草稿バッファ・メモリ
２２…草稿処理部
２４…決済処理部
２６…ネットワーク通信処理部
３０…データベース装置
３２…文字データベース装置
３４…語句データベース装置
３６…文章データベース装置
４２…基本データベース装置
４４…公開ユーザ・データベース装置
４６…非公開ユーザ・データベース装置
５０…ウェブ・サーバ
５２…ウェブ・ブラウザ
【図１】
2005044131.tif 000003
【図２】
2005044131.tif 000004
【図３】
2005044131.tif 000005
【図４】
2005044131.tif 000006
【図５】
2005044131.tif 000007
【図６】
2005044131.tif 000008
【図７】
2005044131.tif 000009
【図８】
2005044131.tif 000010
【図９】
2005044131.tif 000011
【図１０】
2005044131.tif 000012
【図１１】
2005044131.tif 000013
【図１２】
2005044131.tif 000014
【図１３】
2005044131.tif 000015
【図１４】
2005044131.tif 000016
【図１５】
2005044131.tif 000017
【図１６】
2005044131.tif 000018
【図１７】
2005044131.tif 000019
【図１８】
2005044131.tif 000020
【図１９】
2005044131.tif 000021
【図２０】
2005044131.tif 000022
【図２１】
2005044131.tif 000023
【図２２】
2005044131.tif 000024
【図２３】
2005044131.tif 000025
【図２４】
2005044131.tif 000026
【図２５】
2005044131.tif 000027
【図２６】
2005044131.tif 000028
【図２７】
2005044131.tif 000029
【図２８】
2005044131.tif 000030
【図２９】
2005044131.tif 000031
【図３０】
2005044131.tif 000032
【図３１】
2005044131.tif 000033
【図３２】
2005044131.tif 000034
【図３３】
2005044131.tif 000035
【図３４】
2005044131.tif 000036
【図３５】
2005044131.tif 000037